(57)【特許請求の範囲】
【請求項１】
高さより左右幅の小さな略板状をなし、前後の支持部及び両支持部の間を低くした載置部を有し、固定側ケースに前後方向へ摺動して格納位置と引出位置に切り換えられるスライダーと、２個の枠半体を有し、両枠半体がそれぞれの両端を前記前後の支持部に回動可能に支持して、前記載置部上で左右下へ折り畳まれると共に載置部上から左右にはみ出して略水平に展開される周囲保持手段と、前記両枠半体を水平展開する方向に付勢するバネ手段とを少なくとも備え、前記周囲保持手段が前記スライダーを前記ケースに格納するときに前記両枠半体を前記載置部上で下へ折り畳んで垂直状態となり、前記スライダーの引出位置で前記載置部の左右にはみ出して略水平に展開される水平展開状態となって、カップ類や携帯機器等の物品を、その水平展開状態で形成される前記両枠半体の枠孔に上から挿入し前記載置部で受ける乗物用引出式ホルダーであって、
前記枠半体と前記ケースとの間に設けられて、前記枠半体が前記スライダーの引出位置で前記バネ手段に抗し下へ倒れないよう保持する枠転倒防止手段を有し、
前記枠転倒防止手段が、前記枠半体の後側に設けられて枠半体の水平展開状態で横向きに突出し下折り畳み状態で略下向きとなる突起と、前記ケースの側面に設けられて前記引出位置の少し手前で前記突起と係合して枠半体の下折り畳みを阻止し、前記格納位置に切り換える初期過程で前記係合を自動的に解除可能な係合孔とからなることを特徴とする乗物用引出式ホルダー。
【請求項２】
高さより左右幅の小さな略板状をなし、前後の支持部及び両支持部の間を低くした載置部を有し、固定側ケースに前後方向へ摺動して格納位置と引出位置に切り換えられるスライダーと、２個の枠半体を有し、両枠半体がそれぞれの両端を前記前後の支持部に回動可能に支持して、前記載置部上で左右下へ折り畳まれると共に載置部上から左右にはみ出して略水平に展開される周囲保持手段と、前記両枠半体を水平展開する方向に付勢するバネ手段とを少なくとも備え、前記周囲保持手段が前記スライダーを前記ケースに格納するときに前記両枠半体を前記載置部上で下へ折り畳んで垂直状態となり、前記スライダーの引出位置で前記載置部の左右にはみ出して略水平に展開される水平展開状態となって、カップ類や携帯機器等の物品を、その水平展開状態で形成される前記両枠半体の枠孔に上から挿入し前記載置部で受ける乗物用引出式ホルダーであって、
前記載置部に取り付けられて、前記載置部の板幅内に収まる縮小状態から、載置部の左右外側に張り出して載置面積を増大可能にする下展開手段を有し、
前記下展開手段が、２以上の板部材からなり、該各板部材が互いの一端側を同軸上に軸支して、他端側を開いて略扇状に展開されることを特徴とする乗物用引出式ホルダー。
【請求項３】
高さより左右幅の小さな略板状をなし、前後の支持部及び両支持部の間を低くした載置部を有し、固定側ケースに前後方向へ摺動して格納位置と引出位置に切り換えられるスライダーと、２個の枠半体を有し、両枠半体がそれぞれの両端を前記前後の支持部に回動可能に支持して、前記載置部上で左右下へ折り畳まれると共に載置部上から左右にはみ出して略水平に展開される周囲保持手段と、前記両枠半体を水平展開する方向に付勢するバネ手段とを少なくとも備え、前記周囲保持手段が前記スライダーを前記ケースに格納するときに前記両枠半体を前記載置部上で下へ折り畳んで垂直状態となり、前記スライダーの引出位置で前記載置部の左右にはみ出して略水平に展開される水平展開状態となって、カップ類や携帯機器等の物品を、その水平展開状態で形成される前記両枠半体の枠孔に上から挿入し前記載置部で受ける乗物用引出式ホルダーであって、
前記載置部に取り付けられて、前記載置部の板幅内に収まる縮小状態から、載置部の左右外側に張り出して載置面積を増大可能にする下展開手段を有し、
前記下展開手段が、２枚の平板部材からなり、該各平板部材がヒンジ部を介し左右方向に展開されることを特徴とする乗物用引出式ホルダー。
【請求項４】
前記下展開手段が、前記板部材や平板部材同士を展開状態から自動的に縮小状態に切り換え、前記スライダーの格納位置への摺動を損なわないように構成されている請求項２又は３に記載の乗物用引出式ホルダー。
【発明の詳細な説明】
【０００１】
【発明の属する技術分野】
本発明は、自動車，電車，船舶，飛行機等の室内に装備されて、缶，コップ，紙パックや小型ボトル等の飲料容器（以下、これらを総称して「カップ類」と言う）、又は、携帯電話等の携帯機器類を挿入保持するような場合に好適な乗物用引出式ホルダーに関するものである。
【０００２】
【従来の技術】
乗物用引出式ホルダーは、例えば、自動車の室内壁に埋込式に設置されて、乗員が必要時に引き出してカップ類等を挿入保持するものであり、不使用時に格納されているため室内空間の有効活用や外観的に優れている。この引出式ホルダーでは、例えば、自動車のインストルメントパネルなどの如く他の機器類との取り合いとなる設置部側の事情により、格納時における左右幅寸法を極力小さくしたいこともある。図９は、本出願人がそのような要求を満たすため先に開発した引出式ホルダー（特開平１０−５９０４７号）を示している。
【０００３】
図９の乗物用引出式ホルダーは、固定側ケースａに対し前後方向へ摺動して格納位置及び引出位置に切り換えられるスライダーｂと、２個の枠半体ｃ1，ｃ2を有し、スライダーｂ側に前後部をそれぞれ回動可能に支持して、両枠半体ｃ1，ｃ2が下へ折り畳まれると共に略水平に展開される周囲保持手段ｃと、両枠半体ｃ1，ｃ2を水平展開する方向に付勢する不図示のバネ手段とを備えている。この構造では、ケースａが上下に長い前開口した容器状であり、スライダーｂがケースａに対応して高さより左右幅の小さい略板状をなし、板前後の支持部ｂ1，ｂ2及び両支持部ｂ1，ｂ2の間を低くした載置部ｂ3を形成している。そして、使用時には、スライダーｂを引出位置に摺動操作すると、両枠半体ｃ1，ｃ2が前記バネ手段により水平展開状態となり、間に形成される枠孔ｃ3に上からカップ類を挿入し載置部ｂ3で受ける。不使用時には、枠半体ｃ1，ｃ2が下折り畳み状態で載置部ｂ3の幅内に収まり、スライダーｂと共に格納位置へ摺動できる。符号ｄは前支持部ｂ1の内側に出没可能に設けられたサブホルダーであり、例えば、枠孔ｃ3に入れられるカップ類が相対的に小さいときその側面を押してがたつきを抑える。
【０００４】
【発明が解決しようとする課題】
上記引出式ホルダーでは、設置側スペースの左右幅を最小にでき、格納及び引出位置への切換操作性や使い勝手等に優れているが、次のような観点から更に改良の余地があることが分かった。
第１に、このホルダー構造では、両枠半体ｃ1，ｃ2が下折り畳み状態と水平展開状態との間で回動可能に支持されると共に、前記バネ手段により常に水平展開方向に付勢され、この使用態様において、バネ手段の付勢力に抗して下方へ押されない限り折り畳まれない。ところが、実際には、カップ類や手で、枠半体ｃ1又はｃ2を図９の矢印Ｆの方向に押す虞もあり、そのような下向き荷重によって枠半体ｃ1又はｃ2が不用意に倒れてカップ類を正常に保持できなくなり、カップ類が倒れ易くなる。これは、例えば、ドライバーなどの使用者が一々目視せずにカップ類を枠孔ｃ3に出し入れするようなとき起こる。これを確実に無くしたい。
第２に、このホルダー構造では、スライダーｂの左右幅を極力小さくしコンパクト化を実現し、同時に、載置部ｂ3を水平展開された両枠半体ｃ1，ｃ2の略中間に位置させることでカップ類を安定載置することを基本としている。このため、載置部ｂ3は枠孔ｃ3の開口面積に対しレール状で狭くなっていることから、保持対象物が小さくなると抜け落ちる虞もある。保持対象物としては、元々カップ類を想定したものであるが、携帯電話等の他の物品であっても同様に保持したいこともあり、そのようにカップ類以外の物品を保持するようなときも、基本構造を維持してより安定載置できるようにしたい。
【０００５】
すなわち、本発明の目的は、枠半体が水平展開状態から不用意に倒れる虞をなくして、使い勝手や信頼性を向上する。他の目的は、コンパクト化を維持して携帯電話などの物品も安定保持可能にすることにより、汎用性及び便利性を付与して商品価値を向上する。更に他の目的は以下の内容説明の中で明らかにする。
【０００６】
【課題を解決するための手段】
上記目的を達成するため本発明は、図１等に例示される如く、高さより左右幅の小さな略板状をなし、前後の支持部２１，２２及び両支持部２１，２２の間を低くした載置部２３を有し、固定側ケース１に前後方向へ摺動して格納位置と引出位置に切り換えられるスライダー２と、２個の枠半体３Ａ，３Ｂを有し、両枠半体３Ａ，３Ｂがそれぞれの両端を前記前後の支持部２１，２２に回動可能に支持して、前記載置部２３上で左右下へ折り畳まれると共に載置部２３上から左右にはみ出して略水平に展開される周囲保持手段３と、前記両枠半体３Ａ，３Ｂを水平展開する方向に付勢するバネ手段４とを少なくとも備え、前記周囲保持手段が前記スライダーを前記ケースに格納するときに前記両枠半体を前記載置部上で下へ折り畳んで垂直状態となり、前記スライダーの引出位置で前記載置部の左右にはみ出して略水平に展開される水平展開状態となって、カップ類や携帯機器等の物品を、その水平展開状態で形成される前記両枠半体の枠孔３８に上から挿入し前記載置部２３で受ける乗物用引出式ホルダーであって、前記枠半体３Ａ，３Ｂと前記ケース１との間に設けられて、前記枠半体３Ａ，３Ｂが前記スライダー２の引出位置で前記バネ手段４に抗し下へ倒れないよう保持する枠転倒防止手段６を有し、前記枠転倒防止手段６が、前記枠半体３Ａ，３Ｂの後側に設けられて枠半体３Ａ，３Ｂの水平展開状態で横向きに突出し下折り畳み状態で略下向きとなる突起３３と、前記ケース１の側面１２に設けられて前記引出位置の少し手前で前記突起３３と係合して枠半体３Ａ，３Ｂの下折り畳みを阻止し、前記格納位置に切り換える初期過程で前記係合を自動的に解除可能な係合孔１６とからなることを特徴とする。
この構造によれば、両枠半体３Ａ，３Ｂが水平展開つまり周囲保持手段３の使用状態で、バネ手段４の付勢力より大きな下向き荷重を受けても、枠転倒防止手段６により水平展開状態を維持し、従来のように枠半体が不用意に倒れることに起因する不具合を解消できる。また、枠転倒防止手段６としては、前記枠半体３Ａ，３Ｂの後側に設けられて枠半体３Ａ，３Ｂの水平展開状態で横向きに突出し下折り畳み状態で略下向きとなる突起３３と、前記ケース１の側面１２に設けられて前記引出位置の少し手前で前記突起３３と係合して枠半体３Ａ，３Ｂの下折り畳みを阻止し、前記格納位置に切り換える初期過程で前記係合を自動的に解除可能な係合孔１６とで構成するため、部材数を増やすことなくケース１等の成形型で容易に実施可能になる。
【０００７】
他の本発明は、図５等に例示される如く、高さより左右幅の小さな略板状をなし、前後の支持部２１，２２及び両支持部２１，２２の間を低くした載置部２３を有し、固定側ケース１に前後方向へ摺動して格納位置と引出位置に切り換えられるスライダー２と、２個の枠半体３Ａ，３Ｂを有し、両枠半体３Ａ，３Ｂがそれぞれの両端を前記前後の支持部２１，２２に回動可能に支持して、前記載置部２３上で左右下へ折り畳まれると共に載置部２３上から左右にはみ出して略水平に展開される周囲保持手段３と、前記両枠半体３Ａ，３Ｂを水平展開する方向に付勢するバネ手段４とを少なくとも備え、前記周囲保持手段が前記スライダーを前記ケースに格納するときに前記両枠半体を前記載置部上で下へ折り畳んで垂直状態となり、前記スライダーの引出位置で前記載置部の左右にはみ出して略水平に展開される水平展開状態となって、カップ類や携帯機器等の物品を、その水平展開状態で形成される前記両枠半体の枠孔３８に上から挿入し前記載置部２３で受ける乗物用引出式ホルダーであって、前記載置部２３に取り付けられて、前記載置部２３の板幅内に収まる縮小状態から、載置部２３の左右外側に張り出して載置面積を増大可能にする下展開手段９を有し、請求項２の場合は、図６等の如く２以上の板部材９１，９２からなり、該各板部材９１，９２が互いの一端側を同軸上に軸支して、他端側を開いて略扇状に展開されることを特徴とする。請求項３の場合は、図８等の如く２枚の平板部材９５，９６からなり、各平板部材９５，９６がヒンジ部（ピン）９７を介し左右方向に展開されることを特徴とする。
この構造によれば、左右幅を小さくするというホルダーの基本設計を維持して、下展開手段９により載置面を実質的に広くすることから、カップ類Ｓ1に限らず携帯電話等の携帯機器類Ｓ2も安定載置可能となり、保持対象物を拡大できる。また、前者（請求項２）は各板部材９１，９２の他端側の展開角に応じ載置面積を増大する。後者（請求項３）は平板部材９５，９６に比例した大きさの平面性が容易に得られる。何れであっても、操作性を維持するためには、前記板部材９１，９２又は平板部材９５，９６同士を展開状態から自動的に縮小状態に切り換えて、前記スライダー２の格納位置への摺動を損なわないようにすることである（請求項４）。なお、本発明の枠半体３Ａ，３Ｂは、通常、枠部３１及び後側の片部３２とを一体に有し、枠部３１同志が水平展開されたとき円筒状物品用の略円状枠孔３８を形成したり、角状物品用の略矩形枠孔３８を形成するよう具体化される。
【０００８】
【発明の実施の形態】
以下、本発明の実施の形態について図面に基づいて説明する。図１から図４は本発明を適用した乗物用引出式ホルダーの第１形態を示している。そのうち、図１は引出式ホルダーを引出状態で示す模式外観図、図２（ａ），（ｂ）は図１の枠転倒防止手段を拡大した作動図、図３は引出式ホルダーを格納状態で示す模式側断面図、図４は引出式ホルダーを分解した模式構成図である。
【０００９】
図に示す引出式ホルダーは、ケース１及び該ケース１に前後方向へ摺動して格納位置と引出位置に切り換えられるスライダー２を主体とし、２個の枠部材３Ａ，３Ｂからなる周囲保持手段３、枠部材用のバネ手段４及びガイド手段５、枠転倒防止手段６、スライダー用の突出手段７及びロック手段８などを備えている。材質的には、バネやピンを除く部材が樹脂成形品であるが、樹脂以外であってもよい。また、この引出式ホルダーは、自動車の前席前方に位置するインストルメントパネルＰ（図３参照）に設置する設計であるが、例えば、室内壁や各種のコンソール等に設置することも可能である。次に各部材の構成を組立及び基本作動を含めて詳述した後、要部作動に言及する。
【００１０】
ケース１は、図４の如く前開口した中空容器であり、全体が高さよりも左右幅を小さく、縦長の略長方体となっている。上面１１の前側１１ａは、後述するガイド手段５の揺動を許容するよう一段高く設けらている。両側面１２には、上段の長溝１３と、中段の長溝１４と、下段の長溝１５とがそれぞれ左右対向し、内から外へ貫通されて前後方向へ延びている。上段の長溝１３は、ガイド手段５の前後動及びガイド手段５の揺動を案内するもので、後側から前側の一段高くなった手前まで延びている直線溝部１３ａ及び、直線溝部１３ａの前端を上側に屈曲した屈曲溝部１３ｂからなる。中段と下段の長溝１４，１５は、スライダー２の前後動を案内するもので、互いに平行に延びた直線溝である。長溝１５は長溝１４よりもケース１の前側まで延びている。また、両側面１２の前側部分には、本発明の枠転倒防止手段６を構成する係合孔１６が対向した状態で設けられている。下面１７には、図３の如く前側の適位置に設けられたロック孔１８と、前側に下設された取付部１９とが設けられている。符号１１ｂは、上面１１前後方向に設けられた位置決と補強兼用のリブである。そして、このケース１は、パネルＰに対し前開口を露出するよう全体をパネル凹所に埋設した状態に設置される。
【００１１】
スライダー２は、高さより左右幅を小さくした略板状をなし、一段高い板前後の支持部２１，２２及び両支持部２１，２２の間を低くした載置部２３とを形成している。また、スライダー２は、前端面に装着されるカバー２４と、後支持部２２の上後側に設けられたカム支持部２５及びその手前に設けられた孔付きの枠支持部２６と、側面に突設したピン２７，２８と、図３の如く後端面から前側に向けて切り欠かれた凹部２ａとを有している。下面側は、後述するロック手段８の押しボタン８１に対応した配置空間を前側部分に有し、その一部にロック片８５を通す下孔が設けられている。下面の後側には、ロック孔１８に軽く係脱する小突起２９が設けられている。そして、ケース１に対し長溝１４，１５とピン２７，２８との嵌合、及び、長溝１３と後述するカム手段５のトレースピン５３との嵌合を介しケース１に組み付けられ、ケース１内の前後方向へ摺動されて格納位置と引出位置とに切り換えられる。カバー２４は、スライダー２がケース１内に最終段階まで押し入られた格納位置でケース１の前開口を閉じる。
【００１２】
以上のスライダー２には、バネ手段４などを介して周囲保持手段３が組み付けられると共に、周囲保持手段３の作動を制御する前記カム手段５及び枠転倒防止手段６と、スライダー２の前後摺動を制御する突出手段７及びロック手段８とがケース１と関連して設けられる。
【００１３】
このうち、周囲保持手段３は、２個の枠半体３Ａ，３Ｂからなり、両枠半体３Ａ，３Ｂがそれぞれの両端を前後の支持部２１，２２に対し回動可能に支持した状態に組み付けられて、載置部２３上で下へ折り畳まれると共に、載置部２３上から左右にはみ出して略水平に展開される。すなわち、両枠半体３Ａ，３Ｂは、図４の如く半円状枠部３１と、枠部３１後側から突出した片部３２と、各片部３２外側面に設けられた突起３３とを有している。両枠部３１の前端側には、軸部３４及び貫通孔３５の一方がそれぞれ設けられている。両片部３２の内面側には、前後に配置される孔付きの連結部３６が設けられている。そして、両枠半体３Ａ，３Ｂは、前側において、軸部３４が貫通孔３５に挿通され、前支持部２１に設けられた軸孔２１ａに嵌合されることにより回動可能に支持される。後側において、各片部３２をカム支持部２５と枠支持部２６の間に配置した状態から、枢支ピン３７が枠支持部２６の孔から各連結部３６の孔を共通に挿通されると共に、バネ手段４を軸装して、カム支持部２５の前側対応部に螺着されることにより、回動可能に支持される。突起３３は、上記した係合孔１６と共に枠転倒防止手段６を構成する部分であり、枠半体３Ａ，３Ｂに一体に形成されている。
【００１４】
バネ手段４は、コイルバネが用いられており、両端４ａ，４ｂが異なる片部３２にそれぞれバネ圧を発現した状態で係止されて、両枠半体３Ａ，３Ｂを常に水平展開する方向に付勢している。従って、両枠半体３Ａ，３Ｂは、スライダー２の格納位置において、バネ手段４の付勢力に抗して折り畳まれている。
【００１５】
カム手段５は、スライダー２が引出位置から格納位置に切り換えられるとき、両枠半体３Ａ，３Ｂをバネ手段４の付勢力に抗して下へ折り畳むよう作動する。この形態では、両側面を形成しているカム部５１と、カム部５１の内側面に突設された軸部５２と、カム部５１の外側面に突設されたトレースピン５３などを有している。そして、カム手段５は、カム支持部２５に対し軸部５２をカム支持部２５の対応部に設けられた軸穴２５ａに嵌合することにより、上から覆った状態で前後に揺動可能に組み付けられ、また、ケース１に対しスライダー２と共に組み込まれるときに、両側のトレースピン５３が対応する上段の長溝１３に嵌合されて、次のように作動する。スライダー２の格納位置において、トレースピン５３は図３の如く直線溝部１３ａの後側に位置し、両カム部５１は前屈み状態で間に後片部３２を挟み込み、枠半体３Ａ，３Ｂを折り畳み状態に規制している。スライダー２を引き出す過程において、トレースピン５３は直線溝部１３ａから屈曲溝部１３ｂに沿って移動すると、両カム部５１は軸部５２を介し上側に回転されて、後片部３２の挟み込みを開放する。この結果、両枠半体３Ａ，３Ｂは、バネ手段４の付勢力により、上方に持ち上げられ略水平の展開状態となる。スライダー２を再びケース１内に押し込む初期段階において、トレースピン５３は屈曲溝部１３ｂに沿って移動し、カム部５１は軸部５２を介し下方に回転される。すると、両枠半体３Ａ，３Ｂは、両カム部５１の内側部分によりバネ手段４の付勢力に抗し下方に押圧されて、下へ折り畳まれながらケース１内に収納される。
【００１６】
突出手段７は、図４の如く、摺動子７１及び摺動子７１を後方へ付勢するバネ７２からなり、スライダー２を格納位置から引き出すときにケース１より自動的に少し前方移動するものである。すなわち、摺動子７１は、前側部分７３が凹状の内部中空で、後側部分７４が後方に向けて細くなっており、図３の如くスライダー２の後側凹部２ａに摺動自在に組み込まれる。その際、前側部分７３の内部にはバネ７２が挿入される。バネ７２は、その付勢力により摺動子７１を凹部２ａから後方向へ移動する。従って、スライダー２は、格納位置において、ケース１内にカバー２４を含めて全体が収納され、その格納状態が後述するロック手段８によりロックされている。このときには、摺動子７１がバネ７２を圧縮しその付勢力に抗して凹部２ａ内にほぼ収まっており、後側部分７４がケース１の対応後面に圧接している。ロック手段８のロック状態を解除すると、摺動子７１がバネ７２の圧縮復元力によって後方向へ押し出され、そのときの反力により、スライダー２は前方つまり引き出し方向に移動される。このスライダー２の移動量は、カバー２４がケース１の前開口から突出して、ケース１の前側部分を余裕を持って掴むことができるよう設定されている。
【００１７】
ロック手段８は、スライダー２の前側に摺動可能に支持される押しボタン８1及び上記下面１７側のロック孔１８からなり、スライダー２が格納位置になったとき自動的に係止し、その格納状態をロックするものである。すなわち、押しボタン８１は、スライダー２の前側に摺動可能に支持され、カバー２４に設けられた前後貫通孔２４ａに通通される操作部８１と、操作部８１の後側に連結したシャフト部８２と、シャフト部８２の後側に連結したガイド片部８３と、シャフト部８２に出没可能に内設けられて、不図示のバネにより下へ突出するよう付勢されたロック片８５とを有している。ロック片８５は、操作部８１が押されると、バネの付勢力に抗してシャフト部８２内に退避し、又、操作部８１の押し力を開放すると、シャフト部８２内から突出する構成である。従って、ロック片８５がロック孔１８に係合した状態では、図３の如くスライダー２のケース１に対する格納状態が維持される。操作部８１を後方へ押すと、ロック片８５が退避してロック孔１８との係合を解除する。すると、スライダー２は上記した如く突出手段７の作動により、ケース１の前開口から少し飛び出す。その後、スライダー２が手で引き出されるが、そのときにはロック片８５が前記バネの圧により突出した状態となり、部材間のがたつき等を吸収する。なお、スライダー２の引出位置では、上記した小突起２９がロック孔１８に着脱自在に係合し、スライダー２の引出状態を維持する。この場合は、小突起２９に加え、或いは、小突起２９に代えて特開平１０−５９０４７号記載の係脱構造を採用することもある。
【００１８】
枠転倒防止手段６は、上記した側面１２の係合孔１６と、枠半体３Ａ，３Ｂの突起３３とで構成され、枠半体３Ａ，３Ｂがスライダー２の引出位置でバネ手段４に抗し下へ倒れないよう保持するものである。突起３３は、枠半体３Ａ，３Ｂの片部３２に軸状に設けられて、枠半体３Ａ，３Ｂの水平展開状態で横向きに突出し、下折り畳み状態で略下向きとなる。係合孔１６は、ケース１の両側面１２のうち前上側に設けられて、図２の如く後側が突起３３を下向き状態で自在に通す大孔部１６ａになっている。係合孔１６の前側は、前方に向かって次第に孔幅を狭くした小孔部１６ｂになっている。この前側の小孔部１６は、突起３３の軸径と同じか若干大きく、かつ上向きに湾曲している。孔形状的には、例えば大孔部１６ａから立ち上がった前側の小孔部分を水平孔部に形成してもよい。
【００１９】
（要部作動）そして、この係合孔１６は、スライダー２がケース１から引き出されて最終段階の少し手前に達すると、枠半体３Ａ，３Ｂがバネ手段４の付勢力により水平展開方向へ回動されるが、その回動時に対応する突起３３を大孔部１６ａで逃がす。突起３３は、スライダー２が最終段階まで引き出されると、小孔部１６ｂに達して、枠半体３Ａ，３Ｂが下向きに大きな荷重や衝撃を受けても、バネ手段４に抗し下へ倒れないよう保持する。このような枠転倒防止作用は、例えば、ドライバー（使用者）がカップ類や携帯電話等の物品を周囲保持手段３の枠孔３８に出し入れするとき、走行振動などによりその物品が枠半体３Ａ，３Ｂに直に当たったり、物品を把持している手が枠半体３Ａ，３Ｂに当たることも多く、そのようなときにも、枠半体３Ａ，３Ｂを水平展開状態に維持して、物品の倒れなどの異常事態の発生を確実に解消できる。これは、従来品の不安定要因をなくして、ホルダー品質及び信頼性を向上できることを意味する
【００２０】
（第２，３形態）図５と図６、及び図７と図８は上記引出式ホルダーに下展開手段９を追加（図７では更に上記枠部３１の形状も変更している）した２つの形態を示している。図５と図７は図１に対応した図で、図６と図８は各下展開手段９Ａ，９Ｂの細部構成を模式的に示している。各形態説明では、上記した形態と同じか類似する部材又は部位に同一符号を付し、変更点について詳述する。従って、各形態でも段落０００９から００１９までの記載がそのまま当てはまる。
【００２１】
図５と図６の下展開手段９Ａ（９）は、２本の板部材９１，９２からなり、各板部材９１，９２が互いの一端基部側をピン９３により同軸上に軸支して、他端側を開いて略扇状に展開される構成である。ここで、板部材９１は、アーム状本体の基部９１ａが下側の一部を切り欠いた略円盤状となっていて、板部材９２の基部９２ａをその切り欠き部に対しピン９３を介し回動自在に組み付けるが、その際にピン９３にバネ９４が軸装される。このバネ９４は、両端９４ａがバネ圧を発現した状態で各板部材９１，９２の内側に係止され、板部材９１，９２を展開状態に付勢している。
【００２２】
また、スライダー２の載置部２３Ａは、両板部材９１，９２を配置する両側２３ａ及び後側部分が一段低く形成されている。下展開手段９Ａ（９）は、基部９１ａ，９２ａがその一段低くなった前側に位置され、ピン９３で枢支された状態で取り付けられる。従って、この構造では、スライダー２の引出位置において、両板部材９１，９２がバネ９４の付勢力により図６（ａ）の如く展開されており、両部材９１，９２と両側２３ａの間の凸部２３ｂとが同一高さとなった拡大された載置面を形成する。このため、カップ類Ｓ1は、その拡大された載置面で受けられ、より安定載置されることになる。スライダー２を格納位置に切り換える過程では、両板部材９１，９２がケース１の両側面１２の前縁部に当たりながら、バネ９４の付勢力に抗しつつ互いに近づく方向へ回動されて、図６（ｂ）の如く一段低い両側２３ａ、つまり載置部２３ａの幅内に収まる縮小状態となってスライダー２と共にケース１内に収納される。このため、このホルダーは、スライダー２の格納位置への摺動を損なうことがなく、図１から図４のホルダーと全く同じ要領で使用でき、しかも前述の利点を具備できる。なお、このような下展開手段９Ａでは板部材を３本以上で構成することも可能である。
【００２３】
図７と図８の下展開手段９Ｂ（９）は、２枚の平板部材９５，９６からなり、各平板部材９１，９２がピン９７（ヒンジ部）を介して展開される構成である。ここで、平板部材９５は、接合縁部の中間が凹状連結部９５ｂとなっていて、平板部材９６の接合縁部に設けられた凸状連結部９６ａをその連結部９５ｂの凹状内に配置しピン９８を介し回動自在に組み付けるが、その際にピン９８にバネ９７が軸装される。このバネ９７は、両端がバネ圧を発現した状態で各平板部材９５，９６の対応部に係止され、平板部材９５，９６同士を図８（ｂ）の如く上向きに近づけるよう付勢している。
【００２４】
また、スライダー２の載置部２３Ｂは、両平板部材９５，９６を取り付ける中間部分を一段低い凹状部２３ｃに形成されている。下展開手段９Ｂ（９）は、連結部９５ａ，９６ａがその一段低くなった凹状部２３ｃに位置され、ピン９８で枢支された状態で取り付けられる。そして、この構造では、スライダー２の引出位置において、両平板部材９５，９６がバネ９７の付勢力により図８（ｂ）の如く所定角立ち上がった縮小状態となっている。この縮小状態は、カップ類や携帯機器Ｓ2が所定角立ち上がった両平板部材９５，９６に載せられると、平板部材９５，９６がその荷重によりバネ９７の付勢力に抗しつつ図８（ａ）の如く展開されるよう設定されている。このため、この構造でも、前記形態と同様、携帯機器類Ｓ2はその両平板部材９５，９６に対応した大きさの載置面で受けられ、より安定載置される。スライダー２を格納位置に切り換える際は、携帯機器類Ｓ2が取り除かれているため、両平板部材９５，９６がバネ９７の付勢力により互いに近づく方向に回動され、図６（ｂ）の如く所定角立ち上がる。この状態では、両平板部材９５，９６が載置部２３Ｂの幅内に余裕を持って、しかも両側に枠半体３Ａ，３Ｂの枠部３１も載置部２３Ｂの幅内に収まるよう縮小される。このため、このホルダーでも、スライダー２の格納位置への摺動を損なうことがなく、図１から図４のホルダーと全く同じ要領で使用でき、しかも前述の利点を具備できる。
【００２５】
なお、この形態の枠部３１は半矩形状となっており、枠半体３Ａ，３Ｂが水平に展開されたとき角筒ないしは角柱状物品を保持するに好適な矩形枠孔３８となっている。このように、本発明は、請求項で特定される技術要素を備えておればよく、細部的には、例えば、図９のサブホルダーｄを設けるなど必要に応じ種々変形されるものである。
【００２６】
【発明の効果】
以上説明したように、本発明の乗物用引出式ホルダーは次の効果を有している。  請求項１では、両枠半体が水平展開された使用状態で、バネ手段の付勢力より大きな下向き荷重を受けても、枠転倒防止手段により水平展開状態を維持することから、仮に、物品やそれを把持している手が枠半体に当たっても、従来の如く下折り畳み方向に回動されない。これにより、従来品の不安定要因をなくして、ホルダー品質及び信頼性を向上できる。また、係合孔及び突起を共にケースや枠半体と一体に形成して、部材数と組み付け工数を増やすことなく前記の枠転倒防止手段を実現できる。
請求項２と３では、左右幅を小さくするというホルダーの基本を維持して、下展開手段によりカップ類や携帯機器類という各種の物品をより安定して載置でき、保持対象物を拡大したり、汎用性及び便利性を付与できる。また、各下展開手段は容易に実施され、請求項４の如く使い勝手を良好にして商品価値をより向上できる。
【図面の簡単な説明】
【図１】  本発明を適用したホルダーを引出状態で示す模式外観図である。
【図２】  図１の枠転倒防止手段を拡大した模式構成図である。
【図３】  上記ホルダーを格納状態で示す模式側断面図である。
【図４】  上記ホルダーを分解した模式構成図である。
【図５】  上記ホルダーの他の形態例を図１と同様な態様で示す図である。
【図６】  図５の下展開手段を拡大した模式作動図である。
【図７】  上記ホルダーの更に他の形態例を示す模式構成図である。
【図８】  図７の下展開手段を拡大した模式作動図である。
【図９】  従来引出ホルダーを説明するための模式図である。
【符号の説明】
１…ケース（１１は前側、１２は側面、１３は長溝）
２…スライダー（２１，２２は前後支持部、２３，２３Ａ，２３Ｂは載置部）
３…周囲保持手段（３Ａ，３Ｂは枠半体、３１は枠部、３２は片部）
４…バネ手段（４ａ，４ｂは両端）
５…カム手段（５１はカム部、５３はトレースピン）
６…枠転倒防止手段（３３は枠半体側の突起、１６はケース側の係合孔）
７…突出手段（７１は摺動子、７２はバネ）
８…ロック手段（８1は押しボタン、１８はケース側のロック孔）
９，９Ａ，９Ｂ…下展開手段（９１，９２は板部材、９５，９６は平板部材）
Ｓ1…カップ類（物品）
Ｓ2…携帯機器類（物品）
【図１】
0004435936.tif 000002
【図２】
0004435936.tif 000003
【図３】
0004435936.tif 000004
【図４】
0004435936.tif 000005
【図５】
0004435936.tif 000006
【図６】
0004435936.tif 000007
【図７】
0004435936.tif 000008
【図８】
0004435936.tif 000009
【図９】
0004435936.tif 000010